(57)【特許請求の範囲】
【請求項１】
無線通信を行う通信部と、
画像を取得する画像取得部と、
前記画像取得部が取得した画像から、前記通信部が行う無線通信の設定に係る設定情報を取得する情報取得部と、
前記情報取得部が取得した前記設定情報で、前記通信部が行う無線通信の設定を行う設定部と、
前記通信部が無線通信により取得した映像を表示する表示部と
を備え、
前記画像取得部は、接続された外部装置に記憶されている複数の画像から、前記設定情報を含む画像を特定し、特定した画像を取得する表示装置。
【請求項２】
前記設定情報は、前記画像において二次元コードで表されている請求項１に記載の表示装置。
【請求項３】
撮影した画像を出力する撮像部を有し、
前記画像取得部は、前記撮像部が出力した画像を取得する
請求項１又は請求項２に記載の表示装置。
【請求項４】
画像を取得する画像取得ステップと、
前記画像取得ステップで取得した画像から、通信部が行う無線通信の設定に係る設定情報を取得する情報取得ステップと、
前記情報取得ステップで取得した前記設定情報で、前記通信部が行う無線通信の設定を行う設定ステップと、
前記通信部が無線通信により取得した映像を表示する表示ステップと
を備え、
前記画像取得ステップでは、接続された外部装置に記憶されている複数の画像から、前記設定情報を含む画像を特定し、特定した画像を取得する表示方法。
【発明の詳細な説明】
【技術分野】
【０００１】
本発明は、無線通信の設定を行う技術に関する。
【背景技術】
【０００２】
無線通信の設定を容易に行う発明として、例えば特許文献１に開示された画像表示システムがある。この画像表示システムにおいては、プロジェクターは、プロジェクターへ無線ＬＡＮ接続するための接続情報を二次元コードにして投写する。情報端末は、投写された二次元コードをユーザーの操作に応じて撮像する。情報端末は、撮像した画像に含まれる二次元コードを解析して接続情報を認識し、認識した接続情報を使用して、無線ＬＡＮ接続を行うための設定を行う。
【先行技術文献】
【特許文献】
【０００３】
【特許文献１】特開２００８−７７３８０号公報
【発明の概要】
【発明が解決しようとする課題】
【０００４】
プロジェクターの中には、小型で持ち運びが容易なものがある。このように小型のプロジェクターは、例えば、会議室に持ち込み、会議に使用する資料の表示などに使用される。会議室に持ち込んだプロジェクターを、会議室に設置された無線ＬＡＮ（Local Area Network）のアクセスポイントに接続すれば、無線ＬＡＮを介してコンピューターとプロジェクターとを接続し、映像ケーブルを使用することなく、コンピューターの画面をプロジェクターで投写することができる。
しかしながら、プロジェクターをアクセスポイントへ接続するためには、アクセスポイントへ接続するための設定をプロジェクターに対して行う必要がある。この設定を行う際には、各種情報をユーザーがプロジェクターへ入力する必要があるが、キーボードを備えていないプロジェクターにおいては、例えば、ソフトウェアキーボードで情報を入力することとなり、情報の入力に手間がかかっていた。
【０００５】
本発明は、無線通信を行うための設定を容易に行えるようにする技術を提供する。
【課題を解決するための手段】
【０００６】
本発明は、無線通信を行う通信部と、画像を取得する画像取得部と、前記画像取得部が取得した画像から、前記通信部が行う無線通信の設定に係る設定情報を取得する情報取得部と、前記情報取得部が取得した設定情報で、前記通信部が行う無線通信の設定を行う設定部と、前記通信部が無線通信により取得した映像を表示する表示部とを備える表示装置を提供する。
この表示装置によれば、無線通信を行うための設定を容易に行うことができる。
【０００７】
本発明においては、前記画像取得部は、接続された外部装置に記憶されている複数の画像から、設定情報を含む画像を特定し、特定した画像を取得する構成としてもよい。
この構成によれば、複数の画像の中から設定情報を含む画像を自動的に特定するため、ユーザーが画像を特定する場合と比較して、無線通信を行うための設定を容易に行うことができる。
【０００８】
また、本発明においては、前記設定情報は、前記画像において二次元コードで表されている構成としてもよい。
この構成によれば、無線通信の設定に関して多くの情報を設定することができる。
【０００９】
また、本発明においては、撮影した画像を出力する撮像部を有し、前記画像取得部は、前記撮像部が出力した画像を取得する構成としてもよい。
この構成によれば、接続された外部装置から画像を取得せずに、無線通信の設定を行うことができる。
【００１０】
また、本発明は、画像を取得する画像取得ステップと、前記画像取得ステップで取得した画像から、通信部が行う無線通信の設定に係る設定情報を取得する情報取得ステップと、前記情報取得ステップで取得した設定情報で、前記通信部が行う無線通信の設定を行う設定ステップと、前記通信部が無線通信により取得した映像を表示する表示ステップとを備える表示方法を提供する。
この方法によれば、無線通信を行うための設定を容易に行うことができる。
【図面の簡単な説明】
【００１１】
【図１】本発明の一実施形態に係る装置を示した図。
【図２】プロジェクター１０のハードウェア構成を示した図。
【図３】制御部１１０において実現する機能の機能ブロック図。
【図４】制御部１１０が行う処理の流れを示したフローチャート。
【図５】プロジェクター１０が投写するメニュー画面の一例を示した図。
【図６】プロジェクター１０が投写するメニュー画面の一例を示した図。
【図７】プロジェクター１０が投写する画面の一例を示した図。
【発明を実施するための形態】
【００１２】
［実施形態］
（実施形態の構成）
図１は、本発明の一実施形態に係る装置を示した図である。ＬＡＮ２は、無線及び有線の通信回線を含むコンピューターネットワークであり、図示省略したパーソナルコンピューターやサーバー装置などが接続されている。
アクセスポイント３０は、無線ＬＡＮの通信規格（例えば、ＩＥＥＥ８０２．１１）に従った通信を行うアクセスポイントである。アクセスポイント３０は、例えば、会議室に設置されており、ＬＡＮ２に接続されている。アクセスポイント３０の筐体には、アクセスポイント３０へ接続するための設定情報を含む二次元コードが貼りつけられている。二次元コードには、ＳＳＩＤ（Service Set IDentifier）や暗号キー、暗号方式などの情報が含まれる。本実施形態においては、二次元コードは、ＱＲコード（登録商標）であるが、ＱＲコードに限定されるものではなく、他のマトリクス式のコードやスタック式のコードであってもよい。
デジタルカメラ２０は、撮像素子で撮影した画像をデジタルデータとして記録するカメラである。デジタルカメラ２０は、不揮発性メモリーを有しており、撮影した画像を表す画像データを不揮発性メモリーに記憶する。デジタルカメラ２０は、ＵＳＢ（Universal Serial Bus）の通信規格に従った通信を行う機能を備えており、他の装置へＵＳＢケーブルを介して画像データを出力する。
表示装置の一例であるプロジェクター１０は、映像信号を供給する外部装置に接続され、外部装置から供給された映像信号が示す映像をスクリーンや壁面へ投写する。また、プロジェクター１０は、無線ＬＡＮの通信規格に従った通信を行う機能や、ＵＳＢの通信規格に従った通信を行う機能を備えている。
【００１３】
図２は、プロジェクター１０のハードウェア構成を示した図である。プロジェクター１０は、制御部１１０、記憶部１２０、操作部１３０、投写部１４０を備える。また、プロジェクター１０は、映像処理部１５０、映像インターフェース１６０、通信部１８０を備える。制御部１１０は、ＣＰＵ（Central Processing Unit）、ＲＯＭ（Read Only Memory）及びＲＡＭ（Random Access Memory）を備えたマイクロコンピューターである。ＲＯＭに記憶されているプログラムをＣＰＵが実行すると、制御部１１０が各部を制御し、映像を投写する機能や通信機能などの各種機能が実現する。記憶部１２０は、不揮発性メモリーを備えており、投写する映像の画質に係る設定値や、各種機能の設定に係る情報を記憶する。
【００１４】
映像インターフェース１６０は、ＲＣＡ、Ｄ−Ｓｕｂ、ＨＤＭＩ（登録商標）などのコネクターを有し、外部装置からコネクターに供給された映像信号を映像処理部１５０へ供給する。通信部１８０は、無線ＬＡＮの通信規格に従った通信を行うインターフェースや、有線のＬＡＮの通信を行うインターフェース、ＵＳＢの通信規格に従った通信を行うインターフェースなどを備えている。
【００１５】
映像処理部１５０は、映像インターフェース１６０から供給される映像信号を取得する。また、映像処理部１５０は、プロジェクター１０の各種設定を行うためのメニュー画面などのオンスクリーン画像の信号を制御部１１０から取得する。映像処理部１５０は、各種の画像処理機能を備えており、映像インターフェース１６０から供給された映像信号に画像処理を施し、投写する映像の画質を調整する。また、映像処理部１５０は、制御部１１０からオンスクリーン画像の信号が供給された場合には、オンスクリーン画像の信号を重畳した映像信号を投写部１４０へ供給する。
【００１６】
操作部１３０は、プロジェクター１０を操作するための複数のボタンを備えている。操作部１３０は、例えば、メニュー画面で項目を選択するときに使用される上下左右のカーソルボタンや決定ボタンなどを備えている。操作されたボタンに応じて制御部１１０が各部を制御することにより、投写する映像の調整や、プロジェクター１０が有する各種機能の設定などが行われる。また、操作部１３０は、リモートコントローラー（図示略）からの赤外光の信号を受光する受光部（図示略）を備えている。操作部１３０は、リモートコントローラーから送信された信号を電気信号に変換して制御部１１０へ供給し、制御部１１０は、供給される信号に応じて各部を制御する。
【００１７】
映像を投写する投写部１４０は、光源１４１、ライトバルブ１４２、駆動回路１４４及び投写光学系１４３を有している。光源１４１は、光を発するランプであり、光源１４１が発した光は、図示省略した複数のダイクロイックミラーやミラーによって赤、緑、青の光に分光され、分光された赤、緑、青のそれぞれの光はライトバルブ１４２に導かれる。なお、光源１４１は、ランプではなく、発光ダイオード又はレーザ光を発する半導体レーザ装置であってもよい。
【００１８】
駆動回路１４４は、映像処理部１５０から供給される映像信号を取得する。駆動回路１４４に供給される映像信号は、投写する映像における赤の成分の階調を表す階調データ、投写する映像における緑の成分の階調を表す階調データ及び投写する映像における青の成分の階調を表す階調データを有する。駆動回路１４４は、赤、緑、青の各色の階調データを抽出し、抽出した各色の階調データに基づいてライトバルブ１４２を駆動する。
【００１９】
ライトバルブ１４２は、前述の赤の光が入射する液晶ライトバルブ、前述の緑の光が入射する液晶ライトバルブ、及び前述の青の光が入射する液晶ライトバルブを有している。液晶ライトバルブは、透過型の液晶パネルであり、複数行複数列でマトリクス状に配置された画素を備えている。赤の光が入射する液晶ライトバルブは赤の階調データに基づいて駆動され、緑の光が入射する液晶ライトバルブは緑の階調データに基づいて駆動され、青の光が入射する液晶ライトバルブは青の階調データに基づいて駆動される。各液晶ライトバルブは、駆動回路１４４によって各画素が制御されて画素の透過率が変化する。画素の透過率が制御されることにより、液晶ライトバルブを透過した各色の光は、各階調データに対応した映像となる。液晶ライトバルブを透過した赤、緑、青の光の映像は、図示省略したダイクロイックプリズムにより合成されて投写光学系１４３に入射する。投写光学系１４３は、入射した映像を拡大する光学系であり、入射した映像をレンズやミラーによって拡大して投写する。なお、上述した透過型の液晶ライトバルブの代わりに、反射型の液晶パネルやデジタルミラーデバイス（Digital Mirror Device、ＤＭＤ）等を用いてもかまわない。
【００２０】
図３は、制御部１１０がプログラムを実行することにより実現する機能と、制御部１１０において実現する機能の構成を示した機能ブロック図である。
画像取得部１１１は、通信部１８０が備えるＵＳＢのインターフェースに接続された装置から、画像データを取得する。情報取得部１１２は、画像取得部１１１が取得した画像データを解析し、画像データが表す画像において、二次元コードの部分を特定する。情報取得部１１２は、画像の中で二次元コードの部分を特定すると、二次元コードを解析し、無線ＬＡＮの通信を行うための設定に係る設定情報を二次元コードから取得する。設定部１１３は、情報取得部１１２が取得した設定情報に従って、ＳＳＩＤや暗号キー、暗号方式など、無線通信の設定を行う。
【００２１】
（実施形態の動作例）
次に図４に示したフローチャートを用いて、本実施形態の動作例について説明する。ユーザーは、プロジェクター１０をアクセスポイント３０へ接続させる場合、まず、デジタルカメラ２０でアクセスポイント３０に貼りつけられている二次元コードを撮影する。ユーザーが二次元コードを撮影すると、撮影した二次元コードの画像データがデジタルカメラのメモリーに記憶される。ユーザーは、二次元コードの撮影を終了すると、デジタルカメラ２０をＵＳＢケーブルで通信部１８０へ接続する。
【００２２】
次にユーザーが、メニュー画面を表示させる操作を操作部１３０において行うと、プロジェクター１０は、各種設定を行うためのメニュー画面を投写する。投写されるメニュー画面は、タブメニューとなっており、ユーザーが操作部１３０のカーソルボタンで「ネットワーク」のタブを選択すると、プロジェクター１０は、投写する画面を図５に示した画面にする。「ネットワーク」のタブは、通信に関する各種情報の表示や各種設定を行うためのメニューであり、図５に示したメニュー画面が投写されている状態で、ユーザーが操作部１３０の決定ボタンを押すと、タブの右側に表示されている項目を選択可能となる。ユーザーが、カーソルボタンで「ネットワーク設定画面へ」の項目を選択し、決定ボタンを押すと、プロジェクター１０は、通信に関する各種設定を行うためのメニュー画面を投写する。
【００２３】
通信に関する各種設定を行うためのメニュー画面もタブメニューとなっており、投写されたメニュー画面において、ユーザーがカーソルボタンで「無線ＬＡＮ」のタブを選択すると、プロジェクター１０は、投写される画面を図６に示した画面にする。「無線ＬＡＮ」のタブは、無線ＬＡＮの通信に関する各種設定を行うためのメニューであり、図６に示したメニュー画面が投写されている状態で、ユーザーが決定ボタンを押すと、タブの右側に表示されている項目を選択可能となる。ユーザーが、カーソルボタンで「簡単設定」の項目を選択し、決定ボタンを押すと、制御部１１０は、図４に示した処理を実行する。
【００２４】
まず、制御部１１０は、通信部１８０が備えるＵＳＢのインターフェースに他の装置が接続されているか判断する（ステップＳＡ１）。制御部１１０は、ＵＳＢのインターフェースに他の装置が接続されていない場合（ステップＳＡ１でＮＯ）、他の装置をＵＳＢのインターフェースに接続するように促すメッセージを投写する（ステップＳＡ２）。制御部１１０は、ＵＳＢのインターフェースにデジタルカメラ２０が接続されている場合（ステップＳＡ１でＹＥＳ）、デジタルカメラ２０と通信を行い、デジタルカメラ２０の不揮発性メモリーに記憶されている画像データのサムネイル画像を投写する（ステップＳＡ３）。
【００２５】
図７は、投写されたサムネイル画像の一例を示した図である。ユーザーは、サムネイル画像が投写されると、操作部１３０の上下左右のいずれかのカーソルボタンを操作し、二次元コードが映っている画像を選択する操作を行う。制御部１１０は、カーソルボタンが押されると（ステップＳＡ４でＹＥＳ）、押されたボタンに応じて、サムネイル画像の中から一つの画像を選択する（ステップＳＡ５）。制御部１１０（画像取得部１１１）は、サムネイル画像のうちの一つが選択されているときに決定ボタンが押されると（ステップＳＡ６でＹＥＳ）、選択している画像の画像データをデジタルカメラ２０から取得し、取得した画像データを記憶部１２０に記憶させる（ステップＳＡ７）。
【００２６】
制御部１１０（情報取得部１１２）は、画像データを取得すると、取得した画像データを解析し、画像データが表す画像において二次元コードの部分を検出する（ステップＳＡ８）。制御部１１０は、取得した画像データが表す画像において二次元コードの部分がない場合（ステップＳＡ９でＮＯ）、設定に失敗したことを通知するメッセージを投写し（ステップＳＡ１２）、無線ＬＡＮの通信の設定を行う処理を終了する。
【００２７】
制御部１１０（情報取得部１１２）は、取得した画像データが表す画像において二次元コードの部分がある場合（ステップＳＡ９でＹＥＳ）、二次元コードを解析し、アクセスポイント３０へ接続するための情報が二次元コードに含まれているか判断する（ステップＳＡ１０）。制御部１１０は、アクセスポイント３０へ接続するための情報が二次元コードに含まれていない場合（ステップＳＡ１０でＮＯ）、設定に失敗したことを通知するメッセージを投写し（ステップＳＡ１２）、無線ＬＡＮの通信の設定を行う処理を終了する。
【００２８】
制御部１１０（情報取得部１１２）は、アクセスポイント３０へ接続するための情報が二次元コードに含まれている場合（ステップＳＡ１０でＹＥＳ）、二次元コードからＳＳＩＤや暗号キー、通信に使用する暗号方式など、アクセスポイント３０へ接続するための情報を抽出する（ステップＳＡ１１）。制御部１１０（設定部１１３）は、アクセスポイント３０へ接続するための情報を抽出すると、抽出した情報を使用し、アクセスポイント３０に対してインフラストラクチャーモードで接続するための設定を行う（ステップＳＡ１３）。
【００２９】
制御部１１０は、アクセスポイント３０へ接続するための設定を終了すると、通信部１８０を制御してアクセスポイント３０へ接続する（ステップＳＡ１４）。次に制御部１１０は、設定が完了したことを通知するメッセージを投写し（ステップＳＡ１５）、通信の設定を行う処理を終了する。
プロジェクター１０が、アクセスポイント３０に接続されると、プロジェクター１０は、ＬＡＮ２を介して通信を行うことが可能となる。プロジェクター１０が無線ＬＡＮの通信を行うことが可能となると、ユーザーは、パーソナルコンピューターを操作してパーソナルコンピューターとプロジェクター１０を接続し、パーソナルコンピューターの画面をプロジェクター１０で投写することが可能となる。
【００３０】
以上説明したように本実施形態によれば、アクセスポイントへ接続するための設定を、ソフトウェアキーボードを使用しなくとも、機器同士の接続と、メニュー画面の操作で容易に行うことができる。
【００３１】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した各実施形態及び以下の変形例は、一つ又は複数を適宜組み合わせて実施してもよい。
【００３２】
通信部１８０が備えるＵＳＢのインターフェースに接続する装置は、デジタルカメラ２０に限定されるものではなく、例えば、撮像素子を備え、撮影した画像の画像データを記憶する機能を備えるスマートフォンやフィーチャーフォン、タブレット端末など、他の装置であってもよい。また、デジタルカメラ２０に記憶されている画像データをＵＳＢメモリーにコピーし、画像データがコピーされたＵＳＢメモリーを通信部１８０が備えるＵＳＢのインターフェースに接続してもよい。これにより、デジタルカメラ２０以外の装置からも、二次元コードの画像の画像データを取得し、無線ＬＡＮの通信に関する設定を行うことができる。
【００３３】
上述した実施形態においては、ＵＳＢケーブルを介してデジタルカメラ２０からプロジェクター１０へ画像データが送られているが、赤外線通信やBluetooth（登録商標）などの無線通信により画像データをデジタルカメラ２０からプロジェクター１０へ送るようにしてもよい。
【００３４】
上述した実施形態では、アクセスポイント３０へ接続される装置は、画像を投写するプロジェクター１０となっているが、液晶テレビや液晶モニターなど、直視型の表示装置であってもよい。
【００３５】
上述した実施形態においては、サムネイル画像の中から二次元コードの画像をユーザーが選択する構成となっているが、ユーザーが選択する構成に限定されるものではない。
例えば、制御部１１０は、デジタルカメラ２０に記憶されている画像データを解析し、アクセスポイント３０へ接続するための情報を含む二次元コードの画像データを検出して取得してもよい。また、制御部１１０は、アクセスポイント３０へ接続するための情報を含む二次元コードの画像データが複数ある場合、画像データの生成日時が最新の画像データを取得してもよい。
【００３６】
本発明においては、プロジェクター１０に撮像素子を設け、プロジェクター１０が備える撮像素子でアクセスポイント３０に貼りつけられている二次元コードを撮影してもよい。また、撮像素子を備えるカメラをＵＳＢケーブルで通信部１８０に接続し、ＵＳＢケーブルで接続されたカメラで二次元コードを撮影してもよい。制御部１１０は、撮像素子で撮影した二次元コードの画像を解析し、二次元コードからアクセスポイント３０へ接続するための情報を抽出し、抽出した情報を使用して、アクセスポイント３０に対してインフラストラクチャーモードで接続するための設定を行うようにしてもよい。
また、プロジェクター１０に設けられた撮像素子で二次元コードを撮影する場合、例えば、タブレット端末で二次元コードを撮影し、撮影した二次元コードをタブレット端末で拡大して表示し、タブレット端末に表示されている二次元コードを撮影してもよい。
【符号の説明】
【００３７】
２…ＬＡＮ、１０…プロジェクター、２０…デジタルカメラ、３０…アクセスポイント、１１０…制御部、１１１…画像取得部、１１２…情報取得部、１１３…設定部、１２０…記憶部、１３０…操作部、１４０…投写部、１４１…光源、１４２…ライトバルブ、１４３…投写光学系、１４４…駆動回路、１５０…映像処理部、１６０…映像インターフェース、１８０…通信部
【図１】
0006464834.tif 000002
【図２】
0006464834.tif 000003
【図３】
0006464834.tif 000004
【図４】
0006464834.tif 000005
【図５】
0006464834.tif 000006
【図６】
0006464834.tif 000007
【図７】
0006464834.tif 000008